(57)【要約】      （修正有）【課題】配線口から筐体の内部への虫又は小動物等の侵入を抑制する電力変換装置を提供する。【解決手段】電力変換装置１は、電力変換回路と、筐体２と、を備えている。電力変換回路は、直流電源の出力する直流電力を第１配線５ａを介して入力し、入力した直流電力を交流電力に変換して第２配線５ｃを介して電力系統に出力する。筐体２は、電力変換回路を収容し、第１配線５ａ或いは第２配線５ｃが貫通する配線口２２ａ，２２ｃを有する。筐体２の外部における配線口２２ａ，２２ｃの周囲に、防虫性を有する防虫部６が配置可能に構成されている。【選択図】図１
2019149894.tif 000002
【特許請求の範囲】
【請求項１】
電源装置の出力する電力を第１配線を介して第１電力として入力し、前記第１電力を第２電力に変換して第２配線を介して前記第２電力を出力する電力変換回路と、
前記電力変換回路を収容し、前記第１配線と前記第２配線との少なくとも一方が通る配線口を有する筐体と、を備え、
前記筐体は、前記筐体の外部における前記配線口の周囲に、防虫性を有する防虫部を配置可能な配置スペースを有する
電力変換装置。
【請求項２】
前記防虫部は、虫除け部材と前記虫除け部材を収容可能な容器との少なくとも一方を含む
請求項１に記載の電力変換装置。
【請求項３】
前記容器は、前記配線口に面する側の壁に第１の孔を有する
請求項２に記載の電力変換装置。
【請求項４】
前記虫除け部材は、前記虫除け部材の交換時期を示す表示部分を有し、
前記容器は、前記表示部分を露出させる第２の孔を有する
請求項２又は請求項３に記載の電力変換装置。
【請求項５】
前記防虫部は、防虫性を有する樹脂製の容器を有する
請求項１に記載の電力変換装置。
【請求項６】
前記筐体は、前記筐体を建物に取り付けるための取付板を更に有し、
前記配置スペースは、前記取付板の表面の法線方向において、前記配線口と前記筐体の前記取付板との間に配置された
請求項１から５のいずれか一項に記載の電力変換装置。
【請求項７】
前記電力変換回路で生じた熱を放熱するヒートシンクが備えられ、
前記筐体は、前記ヒートシンクを囲み、前記ヒートシンクの放熱フィンにより形成される排気通路における通気方向の一方の端部開口に対向する第３の孔を有する壁を有し、
前記配置スペースは、前記第３の孔に重なるように配置された
請求項１から６のいずれか一項に記載の電力変換装置。
【請求項８】
前記防虫部は、前記配置スペースに配置された状態で、前記第３の孔と対向する壁に前記第４の孔を有する
請求項７に記載の電力変換装置。
【発明の詳細な説明】
【技術分野】
【０００１】
本発明は、一般に電力変換装置に関し、より詳細には、第１電力を第２電力に変換する電力変換装置に関する。
【背景技術】
【０００２】
太陽光発電システムに用いられる電力変換装置は、太陽光パネルの出力する直流電力を昇圧するＤＣ／ＤＣコンバータやＤＣ／ＤＣコンバータの出力する直流電力を交流電力に変換するインバータ回路に代表される電力変換回路を備えている。この電力変換装置は、インバータ回路が変換した交流電力を電力系統に供給する。
【０００３】
太陽光発電システムの電力変換装置は、例えば、建物の屋根に太陽光パネルを設置して同建物の外部壁面に取り付けられたり、平地に太陽光パネルを設置してその太陽光パネルを配置するための架台に取り付けられたりと、屋外に設置されるように構成される。太陽光発電システムの取り付けの際には、太陽光パネルから延びた直流配線が、電力変換装置の配線口から電力変換装置の筐体内部へ引き回され、内部の端子台などに接続される。また、電力系統と接続される配線も同様に、電力変換装置の筐体内部へ引き回され、同様に内部の端子台などに引き回される。
【０００４】
このように、電力変換装置を屋外に設置した場合に、電力変換装置の筐体の配線口などから異物（例えば虫又は小動物等）が侵入するおそれがある。特許文献１では、配線領域から電力変換領域への異物の侵入防止のため、電力変換領域と配線領域との間を区画して仕切るように防虫シートを配設する構成が提案されている。
【先行技術文献】
【特許文献】
【０００５】
【特許文献１】特開２０１５−０８９１７５号公報
【発明の概要】
【発明が解決しようとする課題】
【０００６】
しかしながら、特許文献１のように、筐体内部で電力変換領域と配線領域との間を区画して仕切るようにしても、端子台などの配線接続部に侵入した虫又は小動物等が触れると、電力変換装置の動作に異常をきたす。
【０００７】
本発明は、このような事情に鑑みてなされており、その目的をするところは、配線口から筐体の内部への虫又は小動物等の侵入を抑制する電力変換装置を提供することを目的とする。
【課題を解決するための手段】
【０００８】
本発明の一態様に係る電力変換装置は、電力変換回路と、筐体と、を備えている。前記電力変換回路は、電源装置の出力する電力を第１配線を介して第１電力として入力し、前記第１電力を第２電力に変換して第２配線を介して前記第２電力を出力する。前記筐体は、前記電力変換回路を収容し、前記第１配線と前記第２配線との少なくとも一方が通る配線口を有する。前記筐体の外部における前記配線口の周囲に、防虫部が配置可能な配置スペースを有する。前記防虫部は防虫性を有する。
【発明の効果】
【０００９】
本発明の一態様に係る電力変換装置は、配線口から筐体の内部への虫又は小動物等の侵入を抑制することができるという利点がある。
【図面の簡単な説明】
【００１０】
【図１】図１は、一実施形態に係る電力変換装置を斜め下から見た斜視図である。
【図２】図２は、同上の電力変換装置の電力変換回路の回路図である。
【図３】図３は、同上の電力変換装置の内部を前側から見た正面図である。
【図４】図４は、同上の電力変換装置を下から見た部分透視図である。
【図５】図５は、同上の電力変換装置に取り付けられる防虫部を斜め下から見た斜視図である。
【図６】図６は、変形例の電力変換装置を斜め下から見た斜視図である。
【発明を実施するための形態】
【００１１】
以下、本実施形態に係る電力変換装置について説明する。下記の実施形態は、本発明の様々な実施形態の一例に過ぎない。また、下記の実施形態は、本発明の目的を達成できれば、設計等に応じて種々の変更が可能である。また、以下の説明における前後、左右、上下の方向は、説明のために便宜上使用しているに過ぎず、実施形態に係る電力変換装置の使用方向を規定する趣旨ではない。
【００１２】
（１）実施形態
図１から図５を参照して、本実施形態に係る電力変換装置１について説明する。
【００１３】
電力変換装置１は、例えば、太陽電池等の電源装置から得られる第１電力（例えば直流電力）を第２電力（例えば交流電力）に変換して、第２電力を電力系統等の負荷に出力する。電源装置は、蓄電池、燃料電池等であってもよい。また、負荷が蓄電池であれば、電源装置は系統電源であってもよい。また、電力変換装置１は、虫又は小動物等が電力変換装置１の内部に侵入することが抑制されるように構成されている。以下の説明では、電源装置を太陽電池とし、第１電力を直流電力とし、第２電力を交流電力として説明する。
【００１４】
図１及び図４に示すように、電力変換装置１は、電力変換回路３０と、筐体２と、防虫部６と、ヒートシンク７と、を備えている。ただし、防虫部６は、電力変換装置１に必須の構成要素ではなく、電力変換装置１は防虫部６を含まなくてもよい。
【００１５】
電力変換回路３０は、入力した直流電力を交流電力に変換して外部に出力し、また、入力した直流電力を変圧して外部に出力する回路である。
【００１６】
筐体２は、電力変換回路３０及びヒートシンク７を収容するケースである。ヒートシンク７は、電力変換回路３０が電力変換を行う際に発熱する発熱部品を放熱する放熱器である。筐体２は、複数の配線口２２（複数の第１配線口２２ａ、複数の第２配線口２２ｃ及び複数の第３配線口２２ｂ）を有している。第１配線口２２ａは例えば４つであり、第２配線口２２ｃは例えば３つであり、第３配線口２２ｂは例えば２つである。第１配線口２２ａ、第２配線口２２ｃ及び第３配線口２２ｂはそれぞれ、太陽電池、電力系統及び蓄電池からの配線（第１配線５ａ、第２配線５ｃ及び第３配線５ｂ）を筐体２の外部から内部に取り入れるための配線口である。
【００１７】
防虫部６は、防虫性を有する部品である。防虫性とは、虫又は小動物を遠ざける性質である。防虫部６は、虫又は小動物等が嫌がる化学成分（すなわち防虫性を有する化学成分）を発散する素材を含んでいる。なお、防虫部６は、上記の化学成分と共に又は化学成分に代えて、小動物等が嫌がる音若しくは光を発してもよく、それらの組み合わせでもよい。以下、上記の化学成分を防虫成分とも記載する。
【００１８】
防虫部６は、筐体２における配線口２２（図示例では第３配線口２２ｂ及び第２配線口２２ｃ）の周囲に着脱可能に配置されている。すなわち、防虫部６は、筐体２における配線口２２の周囲に配置可能になっている。換言すれば、筐体２は、防虫部６が配置可能な配置スペースＨＳ１を有する。配置スペースＨＳ１は、筐体２の外部における配線口２２の周囲に形成されている。配置スペースＨＳ１は、例えば、防虫部６が筐体２の外部に配置された状態で防虫部６における筐体２と接する面（例えば上面）と同形状（例えば矩形）かつ同寸法に形成されている。なお、配置スペースＨＳ１の形状及び寸法は、このように限定されず、防虫部６が配置可能であれば、どのような形状及び寸法でもよい。
【００１９】
電力変換装置１では、太陽電池ＰＶ０（図２参照）から引き出された第１配線５ａが第１配線口２２ａから筐体２の内部に取り入れられて、電力変換回路３０に電気的に接続されている。また、蓄電池ＥＳ１（図２参照）から引き出された第３配線５ｂが第３配線口２２ｂから筐体２の内部に取り入れられて、電力変換回路３０に電気的に接続されている。また、電力系統４０（図２参照）から引き出された第２配線５ｃが配線口２２ｃから筐体２の内部に取り入れられて、電力変換回路３０に電気的に接続されている。そして、電力変換回路３０が、第１配線５ａを介して太陽電池から得た直流電力を交流電力に変換し、変換した交流電力を第２配線５ｃを介して電力系統４０に出力する。また、電力変換回路３０は、第１配線５ａを介して太陽電池ＰＶ０から得る直流電力を変圧（例えば昇圧）して、第３配線５ｂを介して蓄電池ＥＳ１に出力して蓄電池ＥＳ１に充電させる。
【００２０】
また、電力変換装置１では、防虫部６は、防虫性を有する化学成分を拡散して、虫又は小動物等が電力変換装置１（特に配線口２２）に近づくことを抑制している。これにより、虫又は小動物等が配線口２２から筐体２の内部に侵入することが抑制される。
【００２１】
以下、電力変換装置１の各部について詳しく説明する。図２を参照して、まず電力変換回路３０の回路図を説明する。本実施形態では、太陽電池ＰＶ０は、例えば４つの太陽電池モジュールＰＶ１〜ＰＶ４を備えている。電力変換回路３０は、太陽電池モジュールＰＶ１〜ＰＶ４毎に設けられた４つの直流−交流変換部（第１から第４の直流−交流変換部Ｗ１〜Ｗ４）を備えている。
【００２２】
第１の直流−交流変換部Ｗ１は、入力端子８Ａと、直流スイッチＳＷ１と、第１のノイズフィルタＮＦ１１と、昇圧回路ＢＳ１と、インバータＤＡ１と、第２のノイズフィルタＮＦ２と、リレーＲＹ１と、出力端子１０と、を備えている。
【００２３】
入力端子８Ａは、太陽電池モジュールＰＶ１からの第１配線５ａが接続される端子である。第１のノイズフィルタＮＦ１１は、スイッチＳＷを介して入力端子８Ａの後段に接続されており、入力端子８Ａに入力された直流電力に含まれる高周波ノイズを除去する。スイッチＳＷは、入力端子８Ａと第１のノイズフィルタＮＦ１１との間に接続され、太陽電池モジュールＰＶ１と第１の直流−交流変換部Ｗ１とを電気的に接続又は遮断する。昇圧回路ＢＳ１は、第１のノイズフィルタＮＦ１１の後段に接続され、第１のノイズフィルタＮＦ１１から出力された直流電力を昇圧する。昇圧回路ＢＳ１は、直流用リアクトルＬ１、スイッチング素子Ｓ１、ダイオードＤ１及び平滑用のコンデンサＣ１を含む。
【００２４】
インバータＤＡ１は、昇圧回路ＢＳ１の後段に接続され、昇圧回路ＢＳ１から出力された直流電力を交流電力に変換する。インバータＤＡ１は、複数のスイッチング素子Ｓ２を含む。第２のノイズフィルタＮＦ２は、インバータＤＡ１の後段に接続され、インバータＤＡ１から出力された交流電力に含まれる高周波ノイズを除去する。第２のノイズフィルタＮＦ２は、交流用リアクトルＬ２及びコンデンサＣ２を含む。出力端子１０は、電力系統４０からの第２配線５ｃが接続される端子である。出力端子１０は、リレーＲＹ１を介して第２のノイズフィルタＮＦ２の後段に接続され、第２のノイズフィルタＮＦ２から出力された交流電力を電力系統４０に出力する。リレーＲＹ１は、第２のノイズフィルタＮＦ２と出力端子１０との間に接続され、電力系統４０と第１の直流−交流変換部Ｗ１とを電気的に接続又は遮断する部品である。
【００２５】
第２の直流−交流変換部Ｗ２は、入力端子８Ｂと、直流スイッチＳＷ２と、第１のノイズフィルタＮＦ２１と、昇圧回路ＢＳ２と、を備えている。入力端子８Ｂ、直流スイッチＳＷ２、第１のノイズフィルタＮＦ２１及び昇圧回路ＢＳ２はそれぞれ、第１の直流−交流変換部Ｗ１の入力端子８Ａ、直流スイッチＳＷ１、第１のノイズフィルタＮＦ１１及び昇圧回路ＢＳ１と同様に構成されている。昇圧回路ＢＳ２の出力側は、第１の直流−交流変換部Ｗ１の昇圧回路ＢＳ１とインバータＤＡ１との間に接続されている。
【００２６】
すなわち、第２の直流−交流変換部Ｗ２は、第１の直流−交流変換部Ｗ１の前半部分（すなわち入力端子８Ａ、スイッチＳＷ、第１のノイズフィルタＮＦ１１及び昇圧回路ＢＳ１）に並列に接続されている。そして、第２の直流−交流変換部Ｗ２は、第１の直流−交流変換部Ｗ１の後半部分（すなわちインバータＤＡ１、第２のノイズフィルタＮＦ２、リレーＲＹ１及び出力端子１０）を、第１の直流−交流変換部Ｗ１との間で共用している。
【００２７】
第３の直流−交流変換部Ｗ３も、第２の直流−交流変換部Ｗ２と同様に構成されており、入力端子８Ｃと、直流スイッチＳＷ３と、第１のノイズフィルタＮＦ３１と、昇圧回路ＢＳ３と、を備えている。第４の直流−交流変換部Ｗ４も、第２の直流−交流変換部Ｗ２と同様に構成されており、入力端子８Ｄと、直流スイッチＳＷ４と、第１のノイズフィルタＮＦ４１と、昇圧回路ＢＳ３と、を備えている。
【００２８】
また、電力変換回路３０は、ノイズフィルタ１８と、入出力端子１２と、制御回路ＰＣ０と、を備えている。
【００２９】
入出力端子１２は、外部の充放電回路５０を介して、外部の蓄電池ＥＳ１からの第３配線５ｂが接続される端子である。充放電回路５０は、蓄電池ＥＳ１の充放電を行う回路である。
【００３０】
ノイズフィルタ１８は、第１の直流−交流変換部Ｗ１の昇圧回路ＢＳ１とインバータＤＡ１との間と、入出力端子１２との間に接続されている。ノイズフィルタ１８は、第１から第４の直流−交流変換部Ｗ１〜Ｗ４の昇圧回路ＢＳ１〜ＢＳ４から出力される直流電力に含まれる高周波ノイズを除去して入出力端子１２から外部に出力する。または、外部に配置される蓄電池ＥＳ１の直流電力が充放電回路５０を介して電力変換装置１に入力される際に、この直流電力の高周波ノイズを除去してインバータＤＡ１に出力する。
【００３１】
制御回路ＰＣ０は、第１から第４の直流−交流変換部Ｗ１〜Ｗ４を制御する。制御回路ＰＣ０は、第１から第４の直流−交流変換部Ｗ１〜Ｗ４の昇圧回路ＢＳ１〜ＢＳ４から出力される直流電力を、第１の直流−交流変換部Ｗ１の後半部分で交流電力に変換して電力系統４０に出力する。又は、制御回路ＰＣ０は、昇圧回路ＢＳ１〜ＢＳ４から出力される直流電力を、ノイズフィルタ１８を介して入出力端子１２から充放電回路５０に出力して蓄電池ＥＳ１に充電させる。または、制御回路ＰＣ０は、蓄電池ＥＳ１から放電される電力を充放電回路５０を介して入力してインバータＤＡ１に出力する。インバータＤＡ１は、蓄電池ＥＳ１から供給された直流電力を交流電力に変換し、電力系統４０に供給することも可能である。
【００３２】
次に図１及び図４を参照して、筐体２について詳しく説明する。筐体２は、略直方体形に形成されている。筐体２は、筐体本体３と、蓋体４と、背面カバー２０と、取付板２０Ｅと、を備えている。筐体本体３の内部には、電力変換回路３０が収容され、筐体本体３の背面には、ヒートシンク７が取り付けられている。筐体本体３の前面開口には、蓋体４が取り付けられ、筐体本体３の背面には、ヒートシンク７を囲うように背面カバー２０が取り付けられている。取付板２０Ｅは、背面カバー２０の背面開口を覆うように（したがってヒートシンク７を覆うように）、背面カバー２０に取り付けられている。
【００３３】
筐体本体３は、上壁３Ａ、下壁３Ｂ、左壁３Ｃ、右壁３Ｄ及び背壁３Ｅで囲まれ、前面開口３Ｆを有する略直方体形の箱状に形成されている。筐体本体３の前面開口３Ｆの周縁には、環状フランジ部３１が設けられている。蓋体４の４隅が筐体本体３の環状フランジ部３１にねじで固定されることで、蓋体４は、筐体本体３の前面開口３Ｆに着脱可能に取り付けられている。
【００３４】
筐体本体３の下壁３Ｂには、複数の配線口２２が設けられている。４つの第１配線口２２ａは、例えば、下壁３Ｂの右側部において、左右方向に沿って並んで設けられている。２つの第３配線口２２ｂ及び２つの第３配線口２２ｂは、例えば、下壁３Ｂの左側部において、左右方向に沿って並んで設けられている。なお、配線口２２の配置場所は、下壁３Ｂに限定されず、筐体本体３のどこであってもよい。
【００３５】
背面カバー２０は、上壁２０Ａ、下壁２０Ｂ、左壁２０Ｃ、及び右壁２０Ｄで形成され、開口２０Ｆを有する略直方体形の枠状に形成されている。背面カバー２０の上壁２０Ａ、下壁２０Ｂ、左壁２０Ｃ及び右壁２０Ｄには、複数のスリット２１が設けられている。複数のスリット２１は、背面カバー２０の内部と外部との間で空気を循環させるための通気口である。複数のスリット２１の各々は、例えば帯状に形成されており、背面カバー２０の前後方向に延びており、背面カバー２０の周方向に沿って間隔を空けて並んでいる。
【００３６】
後述のように、上壁２０Ａに設けられたスリット２１は、ヒートシンク７の放熱フィン７ｂで形成される排気通路７１の上端開口（排気口）に対向しており、ヒートシンク７で暖められた空気の排気口になっている。下壁２０Ｂに設けられたスリット２１は、排気通路７１の下端開口（端部開口）に取り入れられる空気の吸気口（第３の孔）になっている。
【００３７】
背面カバー２０の開口２０Ｆの輪郭形状は、筐体本体３の背壁３Ｅの輪郭形状と同形状で同寸法に形成されており、背面カバー２０の開口２０Ｆの前面側は、筐体本体３の背壁３Ｅの外周に合わせて取り付けられている。この状態で、背面カバー２０は、ねじで筐体本体３に取り付けられている。
【００３８】
取付板２０Ｅは、背面カバー２０の開口と略同形状で略同寸法の略矩形の板状に形成されている。取付板２０Ｅの周縁部には、取付板２０Ｅを背面カバー２０の背面開口に固定するための複数の固定片２０Ｅａが設けられている（図１参照）。固定片２０Ｅａが背面カバー２０に固定されることで、取付板２０Ｅが背面カバー２０の背面開口に固定される。
【００３９】
取付板２０Ｅは、建物（建物の壁、又は太陽電池が取り付けられる架台等）に取り付けられる部分である。例えば、取付板２０Ｅを予め建物６０に取り付けておき、その取付板２０Ｅに、筐体２の背面カバー２０を固定することで、筐体２を建物６０に取り付けることができる（図１参照）。
【００４０】
このように構成された筐体２では、防虫部６は、筐体２の下面に配置されている。すなわち、筐体２の下面に配置スペースＨＳ１が配置されている。より詳細には、配置スペースＨＳ１は、筐体２の下面において、配線口２２（例えば第３配線口２２ｂ及び第２配線口２２ｃ）の周囲に配置されている。この配置スペースＨＳ１に防虫部６が配置されることで、防虫部６から発される防虫成分を第３配線口２２ｂ及び第２配線口２２ｃの周囲に効果的に拡散できる。この結果、第３配線口２２ｂ及び第２配線口２２ｃからの虫又は小動物等の侵入を効果的に抑制できる。なお、本実施形態では、防虫部６は、第３配線口２２ｂ及び第２配線口２２ｃの周囲に配置されるが、防虫部６は、第１配線口２２ａの周囲に配置されてもよい。
【００４１】
また、配置スペースＨＳ１は、筐体２の下面（背面カバー２０の下壁２０Ｂ）に設けられたスリット２１（第３の孔）に重なるように配置されている。この配置スペースＨＳ１に防虫部６が配置されることで、防虫部６を背面カバー２０も設けることできる。したがって、屋外設置されることで防水処理等が必要な筐体本体３に、防虫部６を固定するためのねじ孔などをあける必要がなくなる。この結果、筐体本体３の防水性能が損なわれることを抑制しつつ、防虫部６を配置することができる。なお、筐体２の下面に設けられたスリット２１は、後述のように、ヒートシンク７の放熱フィン７ｂによって形成される排気通路７１の下端開口に対向したスリットである。
【００４２】
また、配置スペースＨＳ１は、筐体２の取付板２０Ｅの表面（即ち筐体２の背面）の放線方向（前後方向）において、配線口２２と筐体２の取付板２０Ｅとの間に配置されている。すなわち、配置スペースＨＳ１は、筐体２の取付板２０Ｅの放線方向において、配線口２２よりも後方側（筐体２が取り付けられる建物の側）に配置されている。この配置スペースＨＳ１に防虫部６が配置されることで、防虫部６が配線口２２と干渉することを防止できる。また、配置スペースＨＳ１が配線口２２と筐体２の取付板２０Ｅとの間に配置されることで、取付板２０Ｅが建物の壁に取り付けられる態様で電力変換装置１が配置されたとき、防虫部６が建物の壁から出過ぎて邪魔になることを回避できる。また、電力変換装置１のメンテナンス時に第２配線５ｃ及び第３配線５ｂを外すような場合に、第２配線５ｃ及び第３配線５ｂの方が防虫部６よりも手前になるので容易に配線作業を行うことができる。
【００４３】
次に図３及び図４を参照して、電力変換回路３０の基板構造について説明する。図３に示すように、電力変換回路３０は、複数の回路基板ＰＣ１〜ＰＣ３と、電力変換回路３０を構成する複数の電気部品（例えば入力端子８Ａ〜８Ｄ、出力端子１０、入出力端子１２、スイッチング素子Ｓ１，Ｓ２及びノイズフィルタ１８など）と、を備えている。複数の回路基板ＰＣ１〜ＰＣ３は、例えば３つ備えられている。
【００４４】
回路基板ＰＣ１〜ＰＣ３は、筐体本体３の内部において背壁３Ｅの隣接し、背壁３Ｅに平行に配置されている（図４参照）。回路基板ＰＣ１〜ＰＣ３は、電気部品が配置された面を筐体本体３の前面開口３Ｆに向けて配置されている。本実施形態では、回路基板ＰＣ１〜ＰＣ３はそれぞれ、筐体本体３の内部の左側、右側、中央に配置されている。
【００４５】
回路基板ＰＣ１には、直流スイッチＳＷ１〜ＳＷ４が接続されている。直流スイッチＳＷ１〜ＳＷ４は入力端子８Ａ〜８Ｄを有している。入力端子８Ａ〜８Ｄは、回路基板ＰＣ１の下部に設けられることで、配線口２２ａの付近に配置されている。太陽電池モジュールＰＶ１〜ＰＶ４からの第１配線５ａは、第１配線口２２ａから筐体本体３の内部に引き込まれて入力端子８Ａ〜８Ｄに接続されている。
【００４６】
回路基板ＰＣ２には、出力端子１０等が接続されている。出力端子１０は、回路基板ＰＣ２の下部に設けられることで、配線口２２ｃの付近に配置されている。電力系統からの第２配線５ｃは、第２配線口２２ｃから筐体本体３の内部に引き込まれて出力端子１０に接続されている。
【００４７】
回路基板ＰＣ３には、ノイズフィルタ１８、スイッチング素子Ｓ１，Ｓ２及び入出力端子１２等が設けられている。ノイズフィルタ１８は、回路基板ＰＣ３の下部に設けられている。スイッチング素子Ｓ１，Ｓ２は、回路基板ＰＣ３の上部に設けられている。入出力端子１２は、回路基板ＰＣ３の下部の右側に設けられることで、配線口２２ｂの付近に配置されている。蓄電池からの第３配線５ｂは、第３配線口２２ｂから筐体本体３の内部に引き込まれて入出力端子１２に接続されている。
【００４８】
本実施形態では、回路基板ＰＣ１〜ＰＣ３に設けられた電子部品から発熱した熱を放熱するために、回路基板ＰＣ１〜ＰＣ３の裏側（筐体２の内部の取付板２０Ｅ側）に、ヒートシンク７が配置されている。
【００４９】
図４を参照して、ヒートシンク７について詳しく説明する。ヒートシンク７は、例えばアルミなどの熱伝導性の比較的高い金属で形成されている。ヒートシンク７は、平板状の基板部７ａと、複数の放熱フィン７ｂと、を備えている。複数の放熱フィン７ｂは、基板部７ａの一方主面７ｄから垂直に立てられて設けられている。複数の放熱フィン７ｂは、基板部７ａの上下方向に延びており、基板部７ａの左右方向に間隔を空けて並べられている。基板部７ａの他方主面７ｅは、筐体本体３に向けられており、この状態で、基板部７ａは、筐体本体３の背壁３Ｅに固定されている。
【００５０】
複数の放熱フィン７ｂで仕切られた空間は、排気通路７１になっている。すなわち、複数の放熱フィン７ｂによって排気通路７１が形成されている。排気通路７１は、放熱フィン７ｂで暖められた空気が流れる通路である。排気通路７１は、放熱フィン７ｂの延設方向（上下方向）に沿って延びている。ヒートシンク７で暖められた空気は、排気通路７１の通気方向（上下方向）に沿って上側に向かって流れる。したがって、排気通路７１では、主に、排気通路７１の上端開口から空気が流出して、排気通路７１の下端開口から空気が流入する。したがって、排気通路７１の上端開口が排気口となり、排気通路の下端開口は吸気口となっている。
【００５１】
排気通路７１の上端開口は、背面カバー２０の上壁２０Ａに設けられたスリット２１と対向している。したがって、背面カバー２０の上壁２０Ａに設けられたスリット２１は、排気通路７１を流れる空気が背面カバー２０の外部に排気される排気口として機能する。また、排気通路７１の下端開口（端部開口）は、背面カバー２０の下壁２０Ｂに設けられたスリット２１（第３の孔）と対向している。したがって、背面カバー２０の下壁２０Ｂに設けられたスリット２１は、外部からの空気を排気通路７１の下端開口に送り込むための吸気口として機能する。
【００５２】
図５を参照して、防虫部６について詳しく説明する。防虫部６は、虫除け部材６１と、容器６２と、を備えている。なお、本実施形態では、防虫部６は、虫除け部材６１及び容器６２を備えるが、虫除け部材６１又は容器６２を備えてもよい。
【００５３】
虫除け部材６１は、虫又は小動物等が嫌がる化学成分（防虫成分）を有する部材である。虫除け部材６１は、防虫剤用内袋６１ａと、防虫性剤用内袋を収容する防虫剤用容器６１ｂと、を備えている。防虫剤用内袋６１ａは、防虫性及び揮発性を有する薬剤を収容した内袋である。収容した薬剤を徐々に外部に揮発させる。防虫剤用容器６１ｂは、防虫剤用内袋６１ａを保護するための容器であり、例えば樹脂により矩形の箱状に形成されている。防虫剤用容器６１ｂには、複数の開口部６１ｃが形成されている。複数の開口部６１ｃは、防虫剤用内袋６１ａから揮発した薬剤を防虫剤用容器６１ｂの内部から外部に拡散させるための開口である。
【００５４】
防虫剤用容器６１ｂの表面には、虫除け部材６１の交換時期を知らせる表示部分６１ｄが設けられている。この表示部分６１ｄは、一定時間経過する（又は防虫部６の防虫成分が揮発して無くなる）と色が変色する部材で形成されている。すなわち、色の変化の度合いを見ることで、利用者は、虫除け部材６１の交換時期を判断することができる。
【００５５】
容器６２は、虫除け部材６１を収容する部材である。容器６２は、前壁６２Ａ、後壁６２Ｂ、右壁６２Ｃ、左壁６２Ｄ及び下壁６２Ｅで囲まれ、上面開口６２Ｆを有する略直方体形の箱状に形成されている。容器６２の上面開口６２Ｆから容器６２内に、虫除け部材６１が収容可能である。
【００５６】
容器６２の上面開口６２Ｆの左右両側の縁部には、フランジ部６２ａが設けられている。フランジ部６２ａは、容器６２を筐体２に取り付けるための部分であり、容器６２の左右方向外側に突出している。フランジ部６２ａには、ねじ止め用の貫通孔６２ｂが設けられており、背面カバー２０の下壁２０Ｂには、貫通孔６２ｂの対応する箇所にねじ孔（図示省略）が設けられている。ねじがフランジ部６２ａの貫通孔６２ｂを通して筐体２の上記のねじ孔にねじ込まれることで、容器６２が筐体２の下面に着脱可能に取り付けられる。なお、ねじを外すことで、容器６２を筐体２から外すことができる。上記の取付状態では、容器６２の上面開口６２Ｆが筐体２の下面で塞がれる。これにより、容器６２内の虫除け部材６１が容器６２の外に落ちることが防止される。
【００５７】
容器６２の前壁６２Ａ、後壁６２Ｂ、左壁６２Ｄ及び右壁６２Ｃには、複数の孔６２ｃが設けられている。複数の孔６２ｃは、容器６２内の虫除け部材６１から発された防虫成分を容器６２の周囲に拡散するための孔である。孔６２ｃは、前壁６２Ａ、後壁６２Ｂ、左壁６２Ｄ、右壁６２Ｃ及び下壁６２Ｅの各々において、周縁以外の領域に縦横に密集して設けられている。なお、孔６２ｃの配置のさせ方及び個数は、任意に決めることができる。この孔６２ｃにより、容器６２内の虫除け部材６１から発された防虫成分を容器６２の周囲に拡散させることができる。特に、容器６２の前壁（すなわち第３配線口２２ｂ及び第２配線口２２ｃに面する側の壁）６２Ａに、孔６２ｃが設けられているため、第３配線口２２ｂ及び第３配線口２２ｃの周囲に効果的に防虫成分が拡散される。
【００５８】
複数の孔６２ｃは、容器６２内の虫除け部材６１の表示部分６１ｄを外部に露出する孔（第２の孔）としても機能する。したがって、利用者は、容器６２内の虫除け部材６１の交換時期を確認するために、容器６２を筐体２から取り外す手間を省くことができる。
【００５９】
また、配置スペースＨＳ１は、背面カバー２０の下壁２０Ｂのスリット２１（第３の孔）に重なるように配置される。したがって、配置スペースＨＳ１に防虫部６が配置された状態では、容器６２の上面開口６２Ｆ（第４の孔）は、筐体２の下面のスリット２１に重なっている。また、容器６２が配置スペースＨＳ１に配置された状態で、背面カバー２０の下壁２０Ｂのスリット２１と対向する容器６２の下壁６２Ｅに孔６２ｃ（第４の孔）が設けられている。このため、ヒートシンク７を冷却するための空気をスリット２１を介して取り込むことができる。この結果、ヒートシンク７の冷却性能が維持できる。
【００６０】
尚、ヒートシンク７の冷却に支障をきたさないのであれば、容器６２の上面開口６２Ｆ及び／又は下壁６２Ｅの孔６２ｃが塞がれてもよい。この場合、防虫部６の防虫成分がヒートシンク７側に流入することを防いで、防虫部６の防虫成分を配線口２２の方へ流入させることができる。
【００６１】
容器６２は、防虫性を有する樹脂によって形成されている。このような樹脂は、防虫性を有する化学物質（例えばエトフェンプロックス（ピレスロイド様化合物）を樹脂に混ぜることで形成可能である。このように、容器６２を防虫性を有する樹脂で形成することで、容器６２内の虫除け部材６１だけでなく、容器６２からも防虫成分が発せられるため、防虫効果を向上させることができる。
【００６２】
（２）変形例
上記の実施形態では、防虫部６の容器６２は、上下方向に扁平で左右方向に延びた略直方体形に形成されたが、容器６２の形状は、このように限定されない。例えば、図６に示すように、容器６２は、前後方向に扁平で上下方向に延びた略直方体形に形成されてもよい。この場合も、容器６２は、筐体２の配線口２２と取付板２０Ｅとの間に配置されてもよい。また、容器６２の背面と筐体２の背面とが平坦になるように、容器６２は筐体２の下面に配置されてもよい。
【００６３】
また、上記の実施形態では、配置スペースＨＳ１は、筐体２の下面に配置されたが、筐体２の外面の任意の場所に配置されてもよい。例えば、配置スペースＨＳ１は、第１配線口２２ａの周囲に配置されてもよく、又は、第１から第３配線口２２ａ〜２２ｃの全ての周囲に配置されてもよい。
【００６４】
また、上記の実施形態では、防虫部６の容器６２は、防虫性を有する樹脂で形成されたが、防虫性を有さない樹脂で形成されてもよい。また、容器６２は、樹脂以外の部材、例えば、金属で形成されてもよい。
【００６５】
また、上記の実施形態では、防虫部６は、筐体２にねじ止めで取り付けられたが、防虫部６の筐体２への取り付け方を、ねじ止めに限定する趣旨ではない。例えば、防虫部６の容器６２に係止片を設け、係止片が引っ掛かる引っ掛かり部を筐体２に設け、係止片を引っ掛かり部に引っ掛けることで、防虫部６を筐体２に着脱可能に取り付けてもよい。
【００６６】
なお、上記の実施形態及び変形例は適宜組み合わされてもよい。
【００６７】
また、上記の実施形態では、電力変換装置１は、直流電力を入力し、入力した直流電力を交流電力に変換して出力したが、交流電力を入力し、入力した交流電力を直流電力に変換して出力してもよい。
【００６８】
（３）態様
以上、説明した実施形態及び変形例から明らかなように、第１の態様の電力変換装置（１）は、電力変換回路（３０）と、筐体（２）と、を備えている。電力変換回路（３０）は、電源装置（ＰＶ０）の出力する電力を第１配線（５ａ）を介して第１電力（直流電力）として入力し、入力した第１電力を第２電力（交流電力）に変換して第２配線（５ｃ）を介して電力系統（４０）に出力する。筐体（２）は、電力変換回路（３０）を収容し、第１配線（５ａ）と第２配線（５ｃ）との少なくとも一方が通る配線口（２２ｂ，２２ｃ）を有する。筐体（２）は、筐体（２）の外部における配線口（２２ｂ，２２ｃ）の周囲に、防虫部（６）を配置可能な配置スペース（ＨＳ１）を有する。防虫部（６）は防虫性を有する。
【００６９】
この構成によれば、筐体（２）は、その外面における配線口（２２ｂ，２２ｃ）の周囲に配置スペース（ＨＳ１）を有するため、筐体（２）の外部における配線口（２２ａ）の周囲に防虫部（６）を配置させることができる。したがって、防虫部（６）によって、虫又は小動物等を電力変換装置（１）（特に配線口２２ｂ，２２ｃ）から遠ざけることができる。この結果、虫又は小動物等が配線口（２２ｂ，２２ｃ）から筐体（２）の内部に侵入することを抑制できる。
【００７０】
第２の態様の電力変換装置（１）では、第１の態様において、防虫部（６）は、虫除け部材（６１）と虫除け部材（６１）を収容可能な容器（６２）との少なくとも一方を含む。
【００７１】
この構成によれば、防虫部（６）が虫除け部材（６１）と容器（６２）との両方を含む場合は、容器（６２）に収容可能な虫除け部材（６１）であるなら、どのような虫除け部材（６１）でも、防虫部（６）に使用可能である。防虫部（６）が虫除け部材（６１）と容器（６２）とのうち虫除け部材（６１）だけを含む場合は、容器（６２）が無い分、防虫部（６）を小型化できる。防虫部（６）が虫除け部材（６１）と容器（６２）とのうち容器（６２）だけを含む場合は、容器（６２）に防虫成分を含ませることで、防虫部材（６１）無しでも、防虫効果を奏することができる。
【００７２】
第３の態様の電力変換装置（１）では、第２の態様において、容器（６２）は、配線口（２２ｂ，２２ｃ）に面する側の壁（６２Ａ）に第１の孔（２１）を有する。
【００７３】
この構成によれば、容器（６２）内の虫除け部材（６１）が発する防虫成分を、効果的に配線口（２２ｂ，２２ｃ）の周囲に拡散させることができる。
【００７４】
第４の態様の電力変換装置（１）では、第２又は第３の態様において、虫除け部材（６１）は、虫除け部材（６１）の交換時期を示す表示部分（６１ｄ）を有し、容器（６２）は、表示部分（６１ｄ）を露出させる第２の孔（６２ｃ）を有する。
【００７５】
この構成によれば、利用者は、容器（６２）の第２の孔（６２ｃ）を介して表示部分（６１ｄ）を外部から視認可能である。この結果、利用者は、容器（６２）を電力変換装置（１）から取り外すことなく、虫除け部材（６１）の交換時期を判断することができる。
【００７６】
第５の態様の電力変換装置（１）では、第１の態様において、防虫部（６）は、防虫性有する樹脂製の容器（６２）を有する。
【００７７】
この構成によれば、容器（６２）内の虫除け部材（６１）だけでなく、容器（６２）からも防虫成分が発せられるため、防虫効果を向上させることができる。
【００７８】
第６の態様の電力変換装置（１）では、第１から５のいずれか一つの態様において、筐体（２）は、筐体（２）を建物に取り付けるための取付板（２０Ｅ）を更に有する。配置スペース（ＨＳ１）は、取付板（２０Ｅ）の表面の法線方向（前後方向）において、配線口（２２）と取付板（２０Ｅ）との間に配置されている。
【００７９】
この構成によれば、防虫部（６）が配線口（２２）と筐体（２）の取付板（２０Ｅ）との間に配置される。このため、取付板（２０Ｅ）が建物の壁に取り付けられる態様で電力変換装置（１）が配置されたとき、防虫部（６）が建物の壁から出過ぎて邪魔になることを回避できる。
【００８０】
第７の態様の電力変換装置（１）では、第１から５のいずれか一つの態様において、電力変換回路（３０）で生じた熱を放熱するヒートシンク（７）が備えられている。筐体（２）は、壁（２０Ｂ）を有する。壁（２０Ｂ）は、ヒートシンク（７）を囲み、ヒートシンク（７）の放熱フィン（７ｂ）により形成される排気通路（７１）における通気方向の一方の端部開口（下端開口）に対向する第３の孔（２１）を有する。配置スペース（ＨＳ１）は、第３の孔（２１）に重なるように配置されている。
【００８１】
この構成によれば、筐体（２）の第３の孔（２１）は、放熱フィン（７ｂ）で形成される排気通路（７１）を流れる空気の通り道になる。したがって、配置スペース（ＨＳ１）が第３の孔（２１）に重ねて配置されることで、防虫部（６）が配置スペース（ＨＳ１）に配置されたとき、防虫部（６）が発する防虫成分を第３の孔（２１）から筐体（２）の内部に効果的に拡散させることができる。この結果、筐体（２）内に侵入した虫又は小動物等を筐体（２）の外に効果的に追い払うことができる。
【００８２】
第８の態様の電力変換装置（１）では、第７の態様において、防虫部（６）は、配置スペース（ＨＳ１）に配置された状態で、第３の孔（２１）と対向する面に第４の孔（６２Ｆ）を有する。
【００８３】
この構成によれば、容器（６２）内の虫除け部材（６１）が発する防虫成分を、容器（６２）の第４の孔（６２Ｆ）から筐体の第３の孔（２１）に効果的に拡散させることができる。この結果、防虫成分を容器（６２）の内部から筐体（２）の内部に効果的に拡散させることができる。
【符号の説明】
【００８４】
１  電力変換装置
２  筐体
５ａ  第１配線
５ｃ  第２配線
６  防虫部
７  ヒートシンク
７ｂ  放熱フィン
２１  スリット（第１の窓、第２の窓、第３の窓）
２２  配線口
２２ｃ  第２配線口（配線口）
２２ｂ  第３配線口（配線口）
２０Ｅ  取付板
３０  電力変換回路
４０  電力系統（負荷）
６１  防虫部材
６１ｄ  表示部分
６２  容器
６２Ｆ  上面開口
７１  排気通路
ＰＶ０  太陽電池（電源装置）
【図１】
2019149894.tif 000003
【図２】
2019149894.tif 000004
【図３】
2019149894.tif 000005
【図４】
2019149894.tif 000006
【図５】
2019149894.tif 000007
【図６】
2019149894.tif 000008